(57)【要約】【課題】ゴルフボールを確実に収納し、かつ、使いやすいゴルフボールホルダーを提供する。【解決手段】複数のゴルフボールを上下一列に収納する袋状部と、前記袋状部を吊り下げるための吊下具と、を備えるゴルフボールホルダーにおいて、前記袋状部を、正面及び背面を含む平面部と、前記正面及び背面の側部を繋ぎ、かつ、袋状部の内部に前記複数のゴルフボールを収納可能な空間を確保するための襠を形成する側面部と、によって構成し、前記平面部における正面及び背面の重ね合わせ部の上端部に、ゴルフボールを入れるための挿入口と、前記挿入口を開閉する第一の開閉具を設け、前記平面部における正面及び背面の重ね合わせ部の下端部に、ゴルフボールを取り出すための取出口と、前記取出口を開閉する第二の開閉具を設け、前記第二の開閉具を開く際に必要な外力を前記第一の開閉具を開く際に必要な外力よりも小さくなるように設定した。【選択図】図３
2018130509.tif 000002
【特許請求の範囲】
【請求項１】
複数のゴルフボールを上下一列に収納する袋状部と、前記袋状部を吊り下げるための吊下具と、を備えるゴルフボールホルダーにおいて、
前記袋状部を、正面及び背面を含む平面部と、前記正面及び背面の側部を繋ぎ、かつ、袋状部の内部に前記複数のゴルフボールを収納可能な空間を確保するための襠を形成する側面部と、によって構成し、
前記平面部における正面及び背面の重ね合わせ部の上端部に、ゴルフボールを入れるための挿入口と、前記挿入口を開閉する第一の開閉具を設け、
前記平面部における正面及び背面の重ね合わせ部の下端部に、ゴルフボールを取り出すための取出口と、前記取出口を開閉する第二の開閉具を設け、
前記第二の開閉具を開く際に必要な外力を前記第一の開閉具を開く際に必要な外力よりも小さくなるように設定した、ことを特徴とするゴルフボールホルダー。
【請求項２】
前記袋状部の平面部の側端に、アクセサリを保持するアクセサリホルダーを設けた請求項１に記載のゴルフボールホルダー。
【発明の詳細な説明】
【技術分野】
【０００１】  本発明は、ゴルフボールを携帯するために被服、ゴルフバッグ等に装着可能なゴルフボールホルダーに関する。
【背景技術】
【０００２】  特許文献１には、伸縮自在な基材によって形成され、内部に複数のゴルフボールを収納可能な収納部と、全体を使用者のベルトに取り付けられるようにするベルト通しを備えるとともに、収納部の上端にゴルフボールの挿入口を形成し、底部の左右両端にゴルフボールを一つずつ絞り出せるようにした取出口を形成したゴルフボールホルダーが開示されている。ここでは、左右に取出口を設けて、取り出し方向を二通りにすることで利便性を向上している。【０００３】  特許文献２には、可とう性材料からなる有底筒状の収納部と、収納部の上端開口を開閉可能に閉塞する蓋部と、収納部を吊り下げ支持する吊持部を備え、収納部内にゴルフボールを上下に一列状に収納可能に構成したゴルフボール携帯用具が開示されている。ここでは、蓋部をキャラクターデザインとすることで、デザイン性を持たせている。また、蓋部によってゴルフボールの脱落を防止し、プレイに支障を来さないようにしている。【０００４】  特許文献１及び２に記載のように、複数のゴルフボールを携帯するためのゴルフボールホルダーが種々提案されている。特許文献１のゴルフボールホルダーは、上端の挿入口からゴルフボールを挿入し、下側端の取出口から取り出す構造であり、特許文献２のゴルフボール携帯用具は、上端の開口部を通じて出し入れする構造である。また、従来は、伸縮性のある材料又は可とう性材料によって収納部分を構成することで、ゴルフボールを保持する力を確保していた。
【先行技術文献】
【特許文献】
【０００５】
【特許文献１】特開２００２−０００７６９号公報
【特許文献２】特開２００５−１０３１１９号公報
【発明の概要】
【発明が解決しようとする課題】
【０００６】  本発明は、ゴルフボールを確実に収納し、かつ、使いやすいゴルフボールホルダーを提供することを課題としている。
【課題を解決するための手段】
【０００７】  複数のゴルフボールを上下一列に収納する袋状部と、前記袋状部を吊り下げるための吊下具と、を備えるゴルフボールホルダーにおいて、前記袋状部を、正面及び背面を含む平面部と、前記正面及び背面の側部を繋ぎ、かつ、袋状部の内部に前記複数のゴルフボールを収納可能な空間を確保するための襠を形成する側面部と、によって構成し、前記平面部における正面及び背面の重ね合わせ部の上端部に、ゴルフボールを入れるための挿入口と、前記挿入口を開閉する第一の開閉具を設け、前記平面部における正面及び背面の重ね合わせ部の下端部に、ゴルフボールを取り出すための取出口と、前記取出口を開閉する第二の開閉具を設け、前記第二の開閉具を開く際に必要な外力を前記第一の開閉具を開く際に必要な外力よりも小さくなるように設定した。【０００８】  このように、上端に挿入口を設け、下端に取出口を設けることで、開口を上下の二つに限定している。そして、取出口を開閉する第二の開閉具を開くために必要な力を、挿入口を開閉する第一の開閉具を開くために必要な力よりも小さくすることで、袋状部に外力を加えると、ゴルフボールは下端の取出口から排出されることとなる。つまり、上端を挿入口、下端を取出口として、上から入れて下から出すという用法を限定することが可能であり、ゴルフボールを袋状部に収納する際の動作（第一の開閉具を開くこと）と、取り出す際の動作（袋状部に外力を加えて第二の開閉具を開くこと）をプレイヤーに分かりやすくすることができる。【０００９】  さらに、ゴルフボールを取り出す際は、袋状部に外力を加えることで、内部に収納されたゴルフボールに作用する力（押し出される力）を利用して、第二の開閉具を開く構成としている。このように、ゴルフボールを取り出す際に必要な動作を簡単にすることで使いやすさを実現している。【００１０】  また、袋状部の正面を平面部として構成することで、正面に模様やキャラクター等で装飾することが簡単であり、容易にデザイン性を向上することが可能である。例えば、正面を柄物の布とすることでゴルフボールホルダーを華やかに見せることができる。【００１１】  本発明の実施形態において、前記袋状部の平面部の側端に、アクセサリを保持するアクセサリホルダーを設けた。このように、平面部として構成される正面及び背面の側方にアクセサリホルダーを設けることで、利便性を向上することができる。また、正面及び背面は平面であるため、側部にゴルフティー、マーカー、グリーンフォーク等のアクセサリを保持するための保持部を設けることも容易である。
【発明の効果】
【００１２】  本発明によれば、第一の開閉具と第二の開閉具によって閉じられた空間となる袋状部の内部にゴルフボールを確実に収納することができる。さらに、袋状部に外力を加えることで第二の開閉具のみを開いてゴルフボールを取り出すことができるため、使い勝手の良いゴルフボールホルダーを提供できる。
【図面の簡単な説明】
【００１３】
【図１】ゴルフボールホルダーを示す図
【図２】ゴルフボールを取り出す様子を示す図
【図３】ゴルフボールを入れる様子を示す図
【図４】アクセサリホルダーを取り付けた実施形態を示す図
【図５】吊下具の別実施形態を示す図
【発明を実施するための形態】
【００１４】  図面を参照して、ゴルフボールホルダー１の全体構成について説明する。ゴルフボールホルダー１は、袋状部１０と吊下具２０とを有する。袋状部１０は、内部に複数のゴルフボールを収納可能な空間を有し、その空間内に一列状にゴルフボールを収納可能である。吊下具２０は、袋状部１０の外側面に取り付けられており、ゴルフボールホルダー１を被服やゴルフバッグ等に吊り下げて携帯可能にするものである。吊下具２０は、ゴルフボールホルダー１にゴルフボールを入れた状態及びゴルフボールを入れていない状態における上下方向の重心位置よりも上側に設けられている。これにより、吊下具２０を用いて装着した際に、ゴルフボールホルダー１の上下が逆転することがない。
【００１５】  袋状部１０は、正面１１、背面１２、二つの側面１３を備える。これらの正面１１、背面１２及び側面１３によって内部に収納空間が形成されている。より詳細には、正面１１と背面１２の左右側端をそれぞれ側面１３で繋ぐことで正面１１、背面１２及び二つの側面１３によって立体形状が形成される。
【００１６】  正面１１及び背面１２は、平面として形成されている。側面１３は、平面を中央で折り畳むようにして構成されている。そして、側面１３を折り畳み状態から伸ばすことで、正面１１と背面１２を離して奥行きを持たせることができる。このように、袋状部１０の側面部としての側面１３は、平面部として構成された正面１１と背面１２を繋ぐことで、袋状部１０の内部にゴルフボールを収納可能な空間を確保するための襠を形成している。逆に、ゴルフボールを収納しない場合は、側面１３を畳むことで平らな状態で保管することが可能であり、ゴルフボールホルダー１の携帯性をも向上するものである。
【００１７】  本実施形態の側面部は、平面部の上下中央に設けられており、平面部の上下端部は、正面１１と背面１２とを重ね合わせることで形成される重ね合わせ部となる。このようにして、袋状部１０の上下端に平面部を重ね合わせた直線的な開口が形成される。言い換えれば、正面１１と背面１２との重ね合わせ部を除いた部位に側面１３が設けられ、袋状部１０の全体的な立体構造を形成している。
【００１８】  そして、袋状部１０における、正面１１と背面１２の上側の重ね合わせ部に、挿入口１５及び第一の開閉具１６が、下側の重ね合わせ部に、取出口１７及び第二の開閉具１８が設けられている。挿入口１５及び取出口１７は、共にゴルフボールが通過可能な大きさを有する。
【００１９】  第一の開閉具１６及び第二の開閉具１８は、閉じられた状態、かつ、所定より大きい外力が加えられない状態において、ゴルフボールの自重等で自然には開かない強度を有している。つまり、袋状部１０にゴルフボールを収納し、上下の開閉具１６・１８を閉じた状態でゴルフボールホルダー１を携帯していてもゴルフボールが勝手にこぼれ落ちないように構成されている。このように、本実施形態のゴルフボールホルダー１は、挿入口１５に第一の開閉具１６を設け、取出口１７に第二の開閉具１８を設けることで、袋状部１０の内部に確実にゴルフボールを収納することができる。
【００２０】  第二の開閉具１８を開くために必要な外力は、第一の開閉具１６を開くために必要な外力よりも小さくなるように設定される。つまり、袋状部１０の内部にゴルフボールが動こうとする力が生じた場合に、第二の開閉具１８が先に開くように設定されている。図２に示すように、取出口１７に近いゴルフボールと、その次に近いゴルフボールの間の位置に対して、袋状部１０の正面１１及び背面１２を挟み込むように外力を加えることで、外力が加えられた位置から上下方向にゴルフボールを押圧する力が生じる。このとき、第一の開閉具１６の閉鎖力は、第二の開閉具１８の閉鎖力よりも大きく設定されることから、第二の開閉具１８が優先的に開くこととなり、取出口１７からゴルフボールが押し出されることとなる。
【００２１】  吊下具２０は、ベルトを通すことで、装着可能なベルト通しである。具体的には、吊下具２０は、背面１２と所定の隙間を有するように取り付けられる細い帯状の部材である。吊下具２０にベルトを通してゴルフボールホルダー１を装着することで、プレイヤーと一体感を出すことができ、プレイに支障を来すことがない。
【００２２】  以上のように、袋状部１０内に上下一列に収納されたゴルフボールを取り出す際は、正面１１と背面１２を挟み込むように押圧することで押し出されようとするゴルフボールの外力によって、第二の開閉具１８が開く。さらにゴルフボールを取出口１７に向かって絞り出すように押圧することで、ゴルフボールを取り出すことができる。
【００２３】  プレイヤーにとっては、例えばＯＢの可能性があるとき等、予備のゴルフボールをスムーズに取り出すことが好ましい。その点、本実施形態のゴルフボールホルダー１は、袋状部１０の平面部を押圧してゴルフボールを簡単に取り出すことができるため、使い勝手が非常に良い。
【００２４】  また、第一の開閉具１６をパカっと開いて上からゴルフボールを入れて、下からボコッと出すという直感的な動作でゴルフボールの出し入れができ、使用するプレイヤーに混乱を来す蓋然性が低い。ゴルフボールにはナンバリングが施されており、暫定球を打つ場合は異なる番号を使うという性質もあり、出す順序が決まっているということは利点になる。特に、ゴルフというスポーツを行う場合は、心理状態を平穏に保つことが大事であると言われていることもあり、本実施形態のゴルフボールホルダー１を使用することで、スムーズなプレイが可能となる。
【００２５】  ゴルフボールホルダー１の正面、つまり、袋状部１０の正面１１は、平面として構成されているため、キャラクター、風景、人物などの絵柄、繰り返し模様などのデザイン性を容易に高めることが可能である。正面１１を構成する材料としては、出し入れの際に袋状部１０の内側面とゴルフボールが擦れるという特性上、ゴルフボールとの間に大きい摩擦力が生じないものが好ましく、布等の織物が好ましい。耐久性等を考慮すると、畳の縁等、ハリのある材料が特に好ましい。
【００２６】  従来技術と大きく異なっている点は、下記に示すように、複数のゴルフボールを収納する袋状部１０の構成である。（１）ゴルフボールホルダー１の袋状部１０は、正面１１、背面１２及び側面１３によって立体形状を成すように構成されていることから、伸縮性の高い材料や可とう性材料を用いる必要がない。（２）袋状部１０は、ゴルフボールの挿入口１５を一つ、取出口１７を一つとし、かつ、挿入口１５を第一の開閉具１６によって、取出口１７を第二の開閉具１８によって完全に閉じることができる構造を有している。（３）ゴルフボールを保持するための構造は、伸縮性のある材料による保持や蓋による閉鎖ではなく、二つの開閉具１６・１８による閉鎖構造であり、かつ、第二の開閉具１８の閉鎖力を第一の開閉具１６の閉鎖力よりも小さく設定することで、ゴルフボールを取り出そうとする際に第二の開閉具１８を開きやすい側として、取り出し方向を規制している。（４）袋状部１０に上下一列にゴルフボールを収納するとともに、その上下を限定して、上から挿入し、下から取り出す、という風にゴルフボールの出し入れを一方通行としている。
【００２７】  第一の開閉具１６及び第二の開閉具１８の具体的な構成は限定されるものではないが、例えば本実施形態では、第一の開閉具１６としてがま口、第二の開閉具１８としてバネ口金を採用している。第一の開閉具１６としてがま口を採用した場合、図３に示すように、挿入口１５を大きく開いた状態で維持することが可能であり、ゴルフボールを入れやすいという利点がある。また、第二の開閉具１８としてバネ口金を採用した場合、図２に示すように、ゴルフボールを一つ取り出した後にバネの弾性力によって自然に閉じるため、閉じる動作を行う必要がないという利点がある。
【００２８】  図４に示すように、袋状部１０の正面１１及び背面１２の側端にアクセサリホルダー３０が設けられる。アクセサリホルダー３０は、例えばゴルフティーを保持する筒状の部品である。アクセサリホルダー３０は、ゴルフティーの他に、マーカーやグリーンフォーク等を保持する構成としても良い。このように、ゴルフボールホルダー１にアクセサリホルダー３０を取り付けることで、プレイに利用するアクセサリも一緒に収納することができ、利便性をより向上することができる。特に、正面１１及び背面１２は、平面として形成されていることから、その側端にアクセサリホルダー３０を容易に取り付けることが可能である。
【００２９】  図５に示すように、ゴルフボールホルダー１を装着するための吊下具として、カラビナ４０を採用することや、吊下具２０とカラビナ４０を一緒に取り付けることも可能である。カラビナ４０は、吊下具２０と同様に、ゴルフボールホルダー１の上下方向の重心位置よりも上側に取り付けることで、ゴルフボールホルダー１の予期せぬ動きを抑えることができる。また、吊下具２０とカラビナ４０を一緒に取り付けることで、装着方法をプレイヤーが適宜選択することができ、汎用性が増す。
【符号の説明】
【００３０】  １：ゴルフボールホルダー、１０：袋状部、１１：正面、１２：背面、１３：側面、１６：第一の開閉具、１８：第二の開閉具、２０：吊下具、３０：アクセサリホルダー
【図１】
2018130509.tif 000003
【図２】
2018130509.tif 000004
【図３】
2018130509.tif 000005
【図４】
2018130509.tif 000006
【図５】
2018130509.tif 000007